(57)【特許請求の範囲】
【請求項１】
複数の画像データを記憶する記憶手段と、
上記複数の画像データのうち撮影した日時が近い画像データ群をイベントにグルーピングするイベントクラスタリング手段と、
上記複数の画像データのうちの少なくとも一つの画像データをお気に入り登録するお気に入り登録手段と、
上記複数の画像データのうち少なくとも一つの画像データを外部とシェア可能なシェアマーク登録をするシェアマーク登録手段と、
上記イベントにグルーピングされたとき、上記お気に入り登録されたとき、上記シェアマーク登録されたときには、所定の属性情報を生成する属性情報生成手段と、
上記属性情報に基づいて、上記イベント単位での表示を行なうイベント表示モードと上記お気に入り登録された画像データ単位での表示を行なうお気に入り表示モードと上記シェアマーク登録された画像データ単位で表示を行なうシェアマーク表示モードのそれぞれの表示モードにおける表示制御を行う表示制御手段と、
上記表示制御に基づいて所定の表示を行なう表示手段とを備え、
上記表示制御手段は、上記イベント表示モードに基づいて表示制御するときは、該イベントを列挙したリストを表示するように制御し、上記お気に入り表示モードに基づいて表示制御するときは、登録先の複数のグループを列挙したリストを表示するように制御し、上記シェアマーク表示モードに基づいて表示制御するときは、登録先の複数のグループを列挙したリストを表示するように制御し、
上記イベント表示モード、上記お気に入り表示モード、上記シェアマーク表示モードの各表示モードに基づくリスト表示の切り替えは、グラフィカルユーザーインターフェース上のタブ切り替えに基づいて実行される
ことを特徴とする画像表示装置。
【請求項２】
上記表示制御手段は、上記リストにおいて、１つのイベントを選択すると、該イベントに属する画像を並べてインデックス表示し、該インデックス表示された画像のうち一つの画像を選択すると、該画像の１枚再生を行うよう制御する
ことを特徴とする請求項１に記載の画像表示装置。
【請求項３】
上記表示制御手段は、上記リストにおいて、１つのグループを選択すると、該グループに属する画像を並べてインデックス表示し、該インデックス表示された画像のうち一つの画像を選択すると、該画像の１枚再生を行うよう制御する
ことを特徴とする請求項１に記載の画像表示装置。
【請求項４】
複数の画像データを記憶するステップと、
上記複数の画像データのうち撮影した日時が近い画像データ群をイベントにグルーピングするイベントクラスタリングを行うステップと、
上記複数の画像データのうちの少なくとも一つの画像データをお気に入り登録するステップと、
上記複数の画像データのうち少なくとも一つの画像データを外部とシェア可能なシェアマーク登録するステップと、
上記イベントにグルーピングされたとき、上記お気に入り登録されたとき、上記シェアマーク登録されたときには、所定の属性情報を生成するステップと、
上記属性情報に基づいて、上記イベント単位での表示を行なうイベント表示モードと上記お気に入り登録された画像データ単位での表示を行なうお気に入り表示モードと上記シェアマーク登録された画像データ単位で表示を行なうシェアマーク表示モードの各表示モードのそれぞれの表示モードにおける表示制御を行うステップと、
上記表示制御に基づいて表示を行なうステップとを有し、
上記イベント表示モードに基づいて表示制御するときは、該イベントを列挙したリストを表示するように制御し、
上記お気に入り表示モードに基づいて表示制御するときは、登録先の複数のグループを列挙したリストを表示するように制御し、
上記シェアマーク表示モードに基づいて表示制御するときは、登録先の複数のグループを列挙したリストを表示するように制御し、
上記イベント表示モード、上記お気に入り表示モード、上記シェアマーク表示モードの各表示モードに基づくリスト表示の切り替えは、グラフィカルユーザーインターフェース上のタブ切り替えに基づいて実行される
ことを特徴とする画像表示制御方法。
【請求項５】
コンピュータが、
複数の画像データのうち撮影した日時が近い画像データ群をイベントにグルーピングするイベントクラスタリング機能と、
上記複数の画像データのうちの少なくとも一つの画像データをお気に入り登録するお気に入り登録機能と、
上記複数の画像データのうち少なくとも一つの画像データを外部とシェア可能なシェアマーク登録をするシェアマーク登録機能と、
上記イベントにグルーピングされたとき、上記お気に入り登録されたとき、上記シェアマーク登録されたときには、所定の属性情報を生成する属性情報生成機能と、
上記属性情報に基づいて、上記イベント単位での表示を行なうイベント表示モードと上記お気に入り登録された画像データ単位での表示を行なうお気に入り表示モードと上記シェアマーク登録された画像データ単位で表示を行なうシェアマーク表示モードの各表示モードのそれぞれの表示モードにおける表示制御を行う表示制御機能とを奏し、
上記表示制御機能は、上記イベント表示モードに基づいて表示制御するときは、該イベントを列挙したリストを表示するように制御し、上記お気に入り表示モードに基づいて表示制御するときは、登録先の複数のグループを列挙したリストを表示するように制御し、上記シェアマーク表示モードに基づいて表示制御するときは、登録先の複数のグループを列挙したリストを表示するように制御し、
上記イベント表示モード、上記お気に入り表示モード、上記シェアマーク表示モードの各表示モードに基づくリスト表示の切り替えは、グラフィカルユーザーインターフェース上のタブ切り替えに基づいて実行される
ことを特徴とするプログラム。
【発明の詳細な説明】
【技術分野】
【０００１】
本発明は、例えば、画像を表示する画像表示装置等に係り、特に画像を表示する際に所定単位で画像群を再生可能とする技術分野に関する。
【背景技術】
【０００２】
従来、画像表示装置としての、デジタルカメラ等の撮像装置では、大容量のメモリを搭載しており、大量の画像を他の記録媒体に保存するまでもなく、該メモリに多数の画像データを保存することが可能となってきている。このように多数の画像データを保存できる結果、該画像データの管理に手間がかかるといった状況も生まれている。
【０００３】
即ち、大容量の内蔵メモリに保存された大量の画像データを自動的にグルーピングしたり、大量の画像の中からお気に入りの画像だけを表示したり、日付ごとの画像表示機能が必要不可欠となってきており、その実現が嘱望されるようになっている。
【０００４】
このような状況に鑑みて、今日では、撮影時刻が比較的近いものをまとめてイベントと称される単位で自動的にグルーピングし、該イベント毎に画像を並べて表示する機能を実装し、それぞれの画像に予めメタ情報を付加し、該メタ情報に基づいて検索を実行し、大量の画像の中から所望とする画像を絞り込むことも可能となってきている。
【０００５】
ここで、特許文献１では、撮影画像とお気に入りの画像として別途登録された画像とを容易に区別可能な状態にし、区別して登録された画像がフォーマットによって簡単に消去されることを防止するデジタルカメラが開示されている。
【０００６】
【特許文献１】特開２００４−２７４４７１号公報
【発明の開示】
【発明が解決しようとする課題】
【０００７】
しかしながら、実装するメモリの大容量化に伴って、撮影者がメモリの画像データを他に保存することなく継続使用する期間が一層長期間に亘ってくると、日付を指定して所定の日に撮影した画像を確認したい、或いは月毎に日付単位の代表画像を一覧表示したい等といった、日付毎に画像を並べて表示することが要求されるようになった。
【０００８】
また、従来技術では、大量のコンテンツの中から、「撮影者個人のとっておきお気に入り画像」だけを表示したり、「インターネットを介して不特定多数の人同士でシェアしたい画像」だけを表示したりするためには、各画像に対して予めそれぞれのラベルを貼った状態で、検索機能を実行して絞り込む手法が採られるが、処理の負荷が大きい。
【０００９】
また、従来技術では、例えば電源オフや画像再生モードを抜ける等するだけで、その「お気に入りの画像」だけを絞り込んで表示した状態は解除されてしまうので、解除される度に検索機能を再度実行しなければならないという手間が発生していた。
【００１０】
このように、従来技術では、全画像を並べて表示する状態と、「お気に入り画像」だけを表示する状態、若しくは「シェアしたい画像」だけを表示する状態との切り替えは、ユーザにとって非常に煩雑なものであった。
【００１１】
そこで、本発明は、日付等の所定単位でグルーピングされた画像、お気に入り登録された画像、更にはシェアしたい画像の各表示の切り替えを簡易な操作で迅速に行うことを課題とする。
【課題を解決するための手段】
【００１２】
本発明の第１の観点に係る画像表示装置は、複数の画像データを記憶する記憶手段と、上記複数の画像データのうち撮影した日時が近い画像データ群をイベントにグルーピングするイベントクラスタリング手段と、上記複数の画像データのうちの少なくとも一つの画像データをお気に入り登録するお気に入り登録手段と、上記複数の画像データのうち少なくとも一つの画像データを外部とシェア可能なシェアマーク登録をするシェアマーク登録手段と、上記イベントにグルーピングされたとき、上記お気に入り登録されたとき、上記シェアマーク登録されたときには、所定の属性情報を生成する属性情報生成手段と、上記属性情報に基づいて、上記イベント単位での表示を行なうイベント表示モードと上記お気に入り登録された画像データ単位での表示を行なうお気に入り表示モードと上記シェアマーク登録された画像データ単位で表示を行なうシェアマーク表示モードのそれぞれの表示モードにおける表示制御を行う表示制御手段と、上記表示制御に基づいて所定の表示を行なう表示手段とを備え、上記表示制御手段は、上記イベント表示モードに基づいて表示制御するときは、該イベントを列挙したリストを表示するように制御し、上記お気に入り表示モードに基づいて表示制御するときは、登録先の複数のグループを列挙したリストを表示するように制御し、上記シェアマーク表示モードに基づいて表示制御するときは、登録先の複数のグループを列挙したリストを表示するように制御し、上記イベント表示モード、上記お気に入り表示モード、上記シェアマーク表示モードの各表示モードに基づくリスト表示の切り替えは、グラフィカルユーザーインターフェース上のタブ切り替えに基づいて実行される。
【００１３】
従って、イベント表示モード、お気に入り表示モード、シェアマーク表示モードの各モードの表示切替が簡易且つ迅速に行われる。
【００１４】
本発明の第２の観点による画像表示制御方法は、複数の画像データを記憶するステップと、上記複数の画像データのうち撮影した日時が近い画像データ群をイベントにグルーピングするイベントクラスタリングを行うステップと、上記複数の画像データのうちの少なくとも一つの画像データをお気に入り登録するステップと、上記複数の画像データのうち少なくとも一つの画像データを外部とシェア可能なシェアマーク登録するステップと、上記イベントにグルーピングされたとき、上記お気に入り登録されたとき、上記シェアマーク登録されたときには、所定の属性情報を生成するステップと、上記属性情報に基づいて、上記イベント単位での表示を行なうイベント表示モードと上記お気に入り登録された画像データ単位での表示を行なうお気に入り表示モードと上記シェアマーク登録された画像データ単位で表示を行なうシェアマーク表示モードの各表示モードのそれぞれの表示モードにおける表示制御を行うステップと、上記表示制御に基づいて表示を行なうステップとを有し、上記イベント表示モードに基づいて表示制御するときは、該イベントを列挙したリストを表示するように制御し、上記お気に入り表示モードに基づいて表示制御するときは、登録先の複数のグループを列挙したリストを表示するように制御し、上記シェアマーク表示モードに基づいて表示制御するときは、登録先の複数のグループを列挙したリストを表示するように制御し、上記イベント表示モード、上記お気に入り表示モード、上記シェアマーク表示モードの各表示モードに基づくリスト表示の切り替えは、グラフィカルユーザーインターフェース上のタブ切り替えに基づいて実行される。
【００１５】
従って、イベント表示モード、お気に入り表示モード、シェアマーク表示モードの各モードの表示切替が簡易且つ迅速に行われる。
【００１６】
本発明の第３の観点によるプログラムは、コンピュータが、複数の画像データのうち撮影した日時が近い画像データ群をイベントにグルーピングするイベントクラスタリング機能と、上記複数の画像データのうちの少なくとも一つの画像データをお気に入り登録するお気に入り登録機能と、上記複数の画像データのうち少なくとも一つの画像データを外部とシェア可能なシェアマーク登録をするシェアマーク登録機能と、上記イベントにグルーピングされたとき、上記お気に入り登録されたとき、上記シェアマーク登録されたときには、所定の属性情報を生成する属性情報生成機能と、上記属性情報に基づいて、上記イベント単位での表示を行なうイベント表示モードと上記お気に入り登録された画像データ単位での表示を行なうお気に入り表示モードと上記シェアマーク登録された画像データ単位で表示を行なうシェアマーク表示モードの各表示モードのそれぞれの表示モードにおける表示制御を行う表示制御機能とを奏し、上記表示制御機能は、上記イベント表示モードに基づいて表示制御するときは、該イベントを列挙したリストを表示するように制御し、上記お気に入り表示モードに基づいて表示制御するときは、登録先の複数のグループを列挙したリストを表示するように制御し、上記シェアマーク表示モードに基づいて表示制御するときは、登録先の複数のグループを列挙したリストを表示するように制御し、上記イベント表示モード、上記お気に入り表示モード、上記シェアマーク表示モードの各表示モードに基づくリスト表示の切り替えは、グラフィカルユーザーインターフェース上のタブ切り替えに基づいて実行される。
【００１７】
従って、プログラムに基づくソフトウェア処理により、イベント表示モード、お気に入り表示モード、シェアマーク表示モードの各モードの表示切替が簡易且つ迅速に行われることになる。
【発明の効果】
【００１８】
本発明によれば、日付等の所定単位でグルーピングされた画像、お気に入り登録された画像、更にはシェアしたい画像の各表示の切り替えを簡易な操作で迅速に行うことが可能な画像表示装置、画像表示制御方法、プログラムを提供することができる。
【発明を実施するための最良の形態】
【００１９】
以下、図面を参照して、本発明を実施するための最良の形態（以下、単に実施の形態という）について詳細に説明する。
【００２０】
図１には本発明の第１の実施の形態に係る画像表示装置の構成を示し説明する。
【００２１】
この図１に示されるように、画像表示装置は、全体の制御を司る制御部１と操作入力部３、記憶部４、表示部５からなる。そして、この制御部１は、記憶部４に格納されている制御プログラム２を読み出し実行することで、イベントクラスタリング機能２ａ、お気に入り登録機能２ｂ、シェアマーク登録機能２ｃ、属性情報生成機能２ｄ、表示制御機能２ｅを奏する。尚、制御部１が、各機能２ａ乃至２ｅの機能を奏するとき、イベントクラスタリング手段、お気に入り登録手段、シェアマーク登録手段、属性情報生成手段、表示制御機能手段としての役割を果たすことになる。また、記録部４には、後述するデータベースや内蔵メモリが概念上含まれるものとする。
【００２２】
このような構成において、制御部１は、記憶部４に格納されている制御プログラム２に基づいて後述するイベントクラスタリング、お気に入り登録、シェアマーク登録等に係る処理を実行する。その過程では、属性情報生成機能２ｄにより、図２に示されるような属性情報が生成され、画像データと対応付けられて併せて記憶部４に記憶される。
【００２３】
即ち、記録部４には、少なくとも、撮影日時１００ａ、ファイル番号１００ｂ、フォルダ番号１００ｃに加えて、お気に入り情報１００ｄ、シェアマーク情報１００ｃ、画像ＩＤ１００ｆ、イベントＩＤ１００ｇが属性情報１００として生成され、記憶部４に記憶されることになる。即ち、この実施の形態では、後述するＧＵＩ(Graphical User Interface)を実現するために、ソフトウェアで画像を管理する上で、データベースを導入し、該データベースに図２に示されるようなレコードのエントリを登録する。該レコードは1つの画像につき必ず１レコード存在し、該データベースに登録されている。
【００２４】
属性情報に含まれる各情報１００ａ乃至１００ｇについて更に詳述すると、撮影日時１００ａとは、該画像の撮影日時そのものであり、後述する「カレンダー表示モード」で使用する情報である。ファイル番号１００ｂとは、フォルダ番号と相俟って記録部４（内蔵メモリ）上に記録されている画像ファイルを特定するために使用する情報である。フォルダ番号１００ｃとは、前のファイル番号と合わせて記録部４（内蔵メモリ）上に記録されている画像ファイルを特定するために使用する情報である。お気に入り情報とは、その画像が、お気に入り登録されているかどうか、されているならばどのグループに登録さているかを示す情報である。シェアマーク情報とは、お気に入り情報と同様に、シェアマーク登録されているかを示す情報である。画像ＩＤとは、イベントＩＤが示すイベント内におけるどの画像かを特定するのに使用する情報である。そして、イベントＩＤとはその画像が属するイベントを示すＩＤとして使用する情報である。
【００２５】
この実施の形態では、イベント表示モード、お気に入り表示モード、シェアマーク表示モードのそれぞれのモードの選択に基づいて、イベント表示モードの画面遷移５０、お気に入り表示モードの画面遷移５１、シェアマーク表示モードの画面遷移５２の相互間で表示を切り替えることが可能となっている。より詳細には、イベント表示モードの画面遷移５０では、リスト表示５０ａ、インデックス表示５０ｂ、１枚再生表示５０ｃの間で画面遷移がなされる。お気に入り表示モードの画面遷移５１では、リスト表示５１ａ、インデックス表示５１ｂ、１枚再生表示５１ｃの間で画面遷移がなされる。同様に、シェアマーク表示モードの画面遷移５２では、リスト表示５２ａ、インデックス表示５２ｂ、１枚再生表示５２ｃの間で画面遷移がなされる。これらの詳細は後述する。
【００２６】
これらは、ＧＵＩのタブ切り替えにより適宜切り替え可能となっている。
【００２７】
尚、ここでは、イベント単位での表示を行なうのが「イベント表示モード」、「お気に入り登録された画像を表示するのが「お気に入り表示モード」、インターネット等を介して不特定多数の人とシェアしたい画像登録（以降、シェアマーク登録と呼ぶ）がなされた画像を表示するのが「シェアマーク表示モード」であるものとする。
【００２８】
イベントクラスタリング機能２ａとは、図３に示されるように、「イベント」と称される単位で撮影時刻の近い画像データを自動的にグルーピングする機能である。即ち、この図３の例では、「６月５日（日）」に撮影された画像群を「サッカー観戦にて」とのタイトルでイベントＥ１としてグルーピングし、「６月１１日（土）」に撮影された画像群を「ＢＢＱ行った」とのタイトルでイベントＥ２としてグルーピングし、「６月１５日（水）」に撮影された画像群を「先輩結婚式」とのタイトルでイベントＥ３としてグルーピングする。タイトルは操作入力部３の操作によりユーザにより任意に付される。尚、使用期間が長くなればなるほど、このイベントの数が多くなってくる。
【００２９】
イベント表示モードが選択された場合の画面遷移の一例は、詳細には図４に示される通りである。即ち、先ず、各イベントを列挙したリスト画面６０が表示部５に表示され、この画面６０にて所望とするイベントが選択されると、該イベントに属する画像のインデックス画面６１が表示され、該画面６１にて所望とする画像が選択されると、該画像の一枚再生画面６２が表示部５に表示されるようになっている。以上の画面遷移は、制御部１が制御プログラム２の表示制御機能２ｅに基づいて実行する。
【００３０】
お気に入り登録機能２ｂとは、前述したイベント表示モードでのインデックス画面６１や１枚再生画面６２にて選択された画像をお気に入り画像として登録する機能である。このように、お気に入り登録された場合には、先に図２に示した属性情報の中のお気に入り情報として、所属するお気に入りグループの情報が属性情報生成機能２ｄにより付与されることになる。この例では、６つのグループの中から登録先を選ぶことができるが、登録先は、これらグループに限定されないことは勿論である。
【００３１】
シェアマーク登録機能２ｃとは、前述したイベント表示モードでのインデックス画面６１や１枚再生画面６２にて選択された画像をシェアマーク登録する機能である。このように、シェアマーク登録された場合には、先に図２に示した属性情報の中のシェアマーク情報として、所属するシェアマークに係るグループの情報が属性情報生成機能２ｄにより付与されることになる。この例では、６つのグループの中から登録先を選ぶことができるが、登録先は、これらグループに限定されないことは勿論である。
【００３２】
ここで、図５には、イベント表示モード、お気に入り表示モード、シェアマーク表示モードの間の表示の切り替えを概念的に示し説明する。アイコン７０ａが選択されると、イベント表示モードに移行し、イベントを列挙した画面７０が表示部５に表示される。そして、アイコン７０ｂが選択されると、お気に入り表示モードに移行し、お気に入り登録に係る６つのグループを列挙した画面７１が表示部５に表示される。そして、アイコン７０ｃが選択されると、シェアマーク登録に係る６つのグループを列挙した画面７２が表示部５に表示される。以上の表示切替は、制御部１が、制御プログラム２の表示制御機能２ｅに基づいて実行することになる。尚、各モード間は、アイコン７０ａ、７０ｂ、７０ｃを適宜選択するだけで、簡易且つ迅速に相互に切り替え可能となっている。
【００３３】
お気に入り表示モードが選択されている場合には、更に図６に示されるように画面を切り替えることが可能となっている。即ち、お気に入り登録に係る６つのグループが列挙されたリスト画面８０において、６つのグループのうち、所望とする任意の一つが選択されると、該グループに登録されている画面のインデックス表示画面８１が表示部５に表示される。そして、更に該インデックス表示画面８１の表示画像の中から所望とする１つの画像が選択されると、該画像の１枚再生表示画面８２が表示部５に表示される。
【００３４】
尚、シェアマーク表示モード時の画面切り替えも、この図６で説明したお気に入り表示モードに係る画面遷移と基本的には同様であるので、重複説明は省略する。
【００３５】
このように、それぞれの表示モードにおけるリスト表示で、ＧＵＩのタブ切り替えによりイベント表示モードのリスト表示、お気に入り表示モードのリスト表示、シェアマーク表示モードのリスト表示に切り替えた際には、表示制御機能２ｅにより、記憶部４（データベース）に登録されているレコードを全て検索し、イベントＩＤ、お気に入り情報、シェアマーク情報の各項目を取得し、リスト表示を実現している。
【００３６】
次に、図７の画面遷移図、及び図８のフローチャートを参照して、お気に入り登録の手順について詳細に説明する。これは、画像表示方法の一部にも相当する。
【００３７】
イベント表示モードの１枚再生画面９０にて、お気に入り登録／解除を選択すると、制御部１は、お気に入り登録機能２ｂに基づいて再生対象の画像の属性情報（レコード）を取得する（ステップＳ１）。そして、お気に入り情報の登録があるか否かを判断し（ステップＳ２）、該登録がある場合には、全てのグループ番号のダイアログからチェックマークを外し（ステップＳ３）、一方、該登録がない場合には登録されているグループ番号のダイアログにチェックマークを入れる（ステップＳ４）。次いで、実行コマンドが発行されたか否かを判断し（ステップＳ５）、発行されるまで、待機し、発行されると、チェックマークの付されているグループ番号をお気に入り情報に追加し（ステップＳ６）、修正したレコードを記憶部４（データベース）に保存し、処理を終了する。
【００３８】
即ち、お気に入り登録／解除が選択されると画面９１が表示部５に表示され、お気に入り登録／解除を所望とするチェックボックス（この例ではチェックボックス５）が選択されると、画面９２のように該ダイアログにチェックマークが付され（この例ではチェックボックス５）、ＯＫが選択されると、確認画面９３が表示部５に表示される。そして、この確認画面９３にて「実行」が選択されると、実行コマンドが発行され、チェックマークの付されているグループ番号がお気に入り情報に追加される。
【００３９】
以上のほか、この第１の実施の形態では、イベント表示モードにおいて、選択されている画像の撮影日時に該当する年、月のカレンダー表示モードへ遷移することができる。図９はカレンダー表示モードが選択された際の表示画面２００を示しており、それぞれの日付上には、その日の撮影した画像の最も古いものが表示される。カレンダーの日付上の画像を選択することで、該画像が含まれるイベントのインデックス表示画面へ遷移するようになっている。この場合の表示制御も、制御部１が制御プログラム２の表示制御機能２ｅに基づいて実行することになる。
【００４０】
次に、本発明の第２の実施の形態について説明する。
【００４１】
図１０には本発明の第２の実施の形態に係る撮像装置の構成を示し説明する。
【００４２】
これは、前述した第１の実施の形態に係る画像表示装置をデジタルスチルカメラやデジタルビデオカメラ等の撮像装置に適用したものである。以下、詳述する。
【００４３】
この図１０に示されるように、第１の実施の形態に係る撮像装置には、撮影レンズ、絞り、フォーカスレンズ等を概念上含むレンズ部１０１が配設されている。そして、このレンズ部１０１を介して入射する被写体光の光路上には、ＣＣＤ(Charge Coupled Device)等の撮像素子１２１が配置されている。この撮像素子１２１の出力は、アナログ信号処理部１２２、アナログ／ディジタル(A/D; Analog/Digital)変換部１２３を介してディジタル信号処理部１２４の入力に接続されている。そして、このディジタル信号処理部１２４の出力は、液晶パネル１１１、記録部１２５の入力に電気的に接続されている。
【００４４】
レンズ部１０１には、それを構成する絞りの調整やフォーカスレンズの移動を行うためのアクチュエータ１３３が機械的に接続されている。そして、このアクチュエータ１３３は、その駆動制御を行うためのモータドライバ１３２に接続されている。
【００４５】
さらに、この撮像装置には、全体の制御を司るＣＰＵ(Central Processing Unit)１２６が配設されており、該ＣＰＵ１２６は、モータドライバ１３２、タイミングジェネレータ(TG; Timing Generator)１３１、操作部１２７、ＥＥＰＲＯＭ(Electrically Erasable Programmable ROM)１２８、プログラムＲＯＭ(Read Only Memory)１２９、ＲＡＭ(Random Access Memory)１３０、タッチパネル１１２と接続されている。
【００４６】
尚、ＣＰＵ１２６がプログラムＲＯＭ１２９に格納された制御プログラムを読み出し実行することで、制御手段、特にイベントクラスタリング手段、シーン変更検出手段、サブイベントクラスタリング手段、表示制御手段等として機能する。
【００４７】
タッチパネル１１２と液晶パネル１１１とでタッチスクリーン１１０が構成される。
【００４８】
記録部１２５は、例えばフラッシュメモリ等の大容量メモリである。
【００４９】
ＥＥＰＲＯＭ１２８は、設定された各種情報その他の電源がオフにされたときも保持すべきデータ等を記憶する為のものである。プログラムＲＯＭ１２９は、ＣＰＵ１２６が実行するプログラム、該プログラムを実行する上で必要なデータを記憶するものである。そして、ＲＡＭ１３０は、ＣＰＵ１２６が各種処理を実行する際のワークエリアとして必要なプログラムやデータを一時記憶する為のものである。
【００５０】
このような構成において、ＣＰＵ１２６は、プログラムＲＯＭ１２９に記録されているプログラムを実行することにより撮像装置を構成する各部を制御し、タッチパネル１１２からの信号や、操作部１２７からの信号に応じて、所定の処理を実行する。操作部１２７は、ユーザによって操作され、該操作に対応した信号をＣＰＵ２３に供給する。
【００５１】
即ち、タッチパネル１１２の任意の位置に指が触れる等して押下されると、つまりユーザにより所定の操作入力がなされると、該タッチパネル１１２より押下された位置の座標が検出され、当該座標に係る信号がＣＰＵ１２６に送出され、該ＣＰＵ１２６は該座標に対応する所定の情報を取得し、該情報に基づいて所定の処理を実行する。
【００５２】
レンズ部１０１を介して被写体光が入射すると、撮像素子１２１は被写体光を撮像して光電変換し、アナログの画像信号を出力する。このとき、モータドライバ１３２は、ＣＰＵ１２６の制御に基づきアクチュエータ１３３を駆動する。この駆動により、レンズ部１０１は、撮像装置の筐体から露出／収納される。また、レンズ部１０１を構成する絞りの調整や、レンズ部１０１を構成するフォーカスレンズの移動が行われる。
【００５３】
さらに、タイミングジェネレータ１３１は、ＣＰＵ１２６の制御に基づいて、タイミング信号を撮像素子１２１に供給する。このタイミング信号により撮像素子１２１における露出時間等が制御される。撮像素子１２１は、このタイミングジェネレータ１３１から供給されるタイミング信号に基づいて動作することにより、レンズ部１０１を介して入射する被写体からの光を受光して光電変換を行い、受光量に応じた電気信号としてのアナログの画像信号を、アナログ信号処理部１２２に供給する。
【００５４】
アナログ信号処理部１２２は、ＣＰＵ１２６の制御に基づいて、撮像素子１２１から送出されたアナログの画像信号に対してアナログ信号処理（増幅等）を行い、その結果得られる画像信号を、Ａ／Ｄ変換部１２３に供給する。
【００５５】
その後、Ａ／Ｄ変換部１２３は、ＣＰＵ１２６の制御に基づいて、アナログ信号処理部１２２からのアナログの画像信号をＡ／Ｄ変換し、その結果得られるディジタルの画像データをディジタル信号処理部１２４に供給する。ディジタル信号処理部１２４は、ＣＰＵ１２６の制御に基づいてＡ／Ｄ変換部１２３からのディジタルの画像信号に対し、ノイズ除去処理等のディジタル信号処理を施し、液晶パネル１１１に供給して表示させる。
【００５６】
ディジタル信号処理部１２４は、Ａ／Ｄ変換部１２３からのディジタルの画像信号を例えばＪＰＥＧ(Joint Photographic Experts Group)方式等で圧縮し、その結果、得られる圧縮されたディジタルの画像信号を、記録部１２５に供給して記録させる。
【００５７】
更に、ディジタル信号処理部１２４は、記録部１２５に記録された圧縮された画像データを伸張し、その結果得られる画像データを液晶パネル１１１に供給して表示させる。つまり、ディジタル信号処理部１２４は、Ａ／Ｄ変換部１２３からの画像データを、液晶パネル１１１に供給し、液晶パネル１１１では所謂スルー画が表示される。
【００５８】
その後、ユーザが操作部１２７に概念上含まれるシャッタボタンを押下すると、操作部１２７からレリーズ信号がＣＰＵ１２６に供給される。こうして、レリーズ信号がＣＰＵ１２６に供給されると、該ＣＰＵ１２６はディジタル信号処理部１２４を制御し、Ａ／Ｄ変換部１２３からディジタル信号処理部１２４に供給された画像データを圧縮させ、この圧縮された画像データを記録部１２５に記録させる。
【００５９】
ここで、特徴的なのは、以下の作用である。
【００６０】
即ち、ＣＰＵ１２６は、プログラムＲＯＭ１２９に格納されている制御プログラムに基づいて、記録部１２５に格納されている画像データを読み出し、該画像データを撮影日付に基づいてイベントにグルーピングする。更に、お気に入り登録、シェアマーク登録を受け付け、このイベント表示モード、お気に入り表示モード、シェアマーク表示モードの間の表示の切り替えの詳細については、前述した第１の実施の形態と同様であるので、ここでは重複した説明は省略する。
【００６１】
以上説明したように、本発明の第１及び第２の実施の形態によれば、記録部（内蔵メモリ）に記録された画像に対して、イベントごとに撮影した画像を並べて表示するイベント表示モードで画像を閲覧（確認）することができる。お気に入り登録した画像だけを並べて表示するお気に入り表示モードで画像を閲覧（確認）することができる。インターネットを介して転送したい画像を所望とするシェアマーク登録をした画像だけを並べて表示するシェアマーク表示モードで画像を閲覧（確認）することができる。その日に撮影した代表画像を１つ表示するカレンダー表示モードで画像を閲覧（確認）することができる。特に、これら各モードでの閲覧は、同一の画像をそれぞれの表示モードで表示するために複製しておくのではなく、記録部（データベース）に登録するレコードによって実現するため、記録部（内蔵メモリ）の容量を有効に使用することができる。このように、画像の複製を保持しておくものではないため、不要になった画像を一旦削除すれば、どの表示モードからも見えなくなることになる。更に、表示モードの切り替えは、ＧＵＩ上でタブを切り替えるだけの簡単な方法で簡易且つ迅速に行うことができる。
【００６２】
以上、本発明の一実施の形態について説明したが、本発明はこれに限定されることなくその趣旨を逸脱しない範囲で種々の改良・変更が可能である。
【００６３】
例えば、イベントクラスタリングによりグルーピングされた画像データのうち、先頭画像（最も撮影日時の古いもの）等の代表画像に係る画像データを、自動的に、お気に入り登録、シェアマーク登録するようにしてもよいことは勿論である。
【図面の簡単な説明】
【００６４】
【図１】本発明の第１の実施の形態に係る画像表示装置の構成図。
【図２】属性情報の構造の一例を示す図。
【図３】イベントクラスタリングについて説明する概念図。
【図４】イベント表示モードでの画面遷移を示す図。
【図５】イベント表示モード、お気に入り表示モード、シェアマーク表示モードの各モード間での表示の切り替えについて説明する概念図。
【図６】お気にリ表示モードでの画面遷移を示す図。
【図７】お気に入り登録の手順について説明するための画面遷移図。
【図８】本発明の第１の実施の形態に係る画像表示装置によるお気に入り登録の手順を説明するためのフローチャート。
【図９】カレンダー表示モードでの画面の表示例を示す図。
【図１０】本発明の第２の実施の形態に係る画像表示装置の構成図。
【符号の説明】
【００６５】
１…制御部、２…制御プログラム、２ａ…イベントクラスタリング機能、２ｂ…お気に入り登録機能、２ｃ…シェアマーク登録機能、２ｄ…属性情報生成機能、２ｅ…表示制御機能、３…操作入力部、４…記憶部、５…表示部、１０１…レンズ部、１１０…タッチスクリーン、１１１…タッチパネル、１１２…液晶パネル、１２１…撮像素子、１２２…アナログ信号処理部、１２３…Ａ／Ｄ変換部、１２４…ディジタル信号処理部、１２５…記録部、１２６…ＣＰＵ、１２７…操作部、１２８…ＥＥＰＲＯＭ、１２９…プログラムＲＯＭ、１３０…ＲＡＭ、１３１…タイミングジェネレータ、１３２…モータドライバ、１３３…アクチュエータ
【図１】
0004835947.tif 000002
【図２】
0004835947.tif 000003
【図３】
0004835947.tif 000004
【図４】
0004835947.tif 000005
【図５】
0004835947.tif 000006
【図６】
0004835947.tif 000007
【図７】
0004835947.tif 000008
【図８】
0004835947.tif 000009
【図９】
0004835947.tif 000010
【図１０】
0004835947.tif 000011